(57)【要約】      （修正有）【課題】簡易な操作で一方の物質と他方の物質とを混合でき、しかも使用時までは各々の物質が誤って混合されることがなく、混合後は発生した気体が外部に放出される二剤混合容器を提供する。【解決手段】  容器内部に個別に収納した第一の物質と第二の物質とを該容器内部で混合する二剤混合容器において、第一の物質を収納する容器本体と、容器本体の口部に螺合されたキャップと、キャップ外側に着脱自在に装着された吸引具とからなり、キャップは外筒と内筒からなり、外筒を容器本体の口部外周に螺合させ、内筒を容器本体の口部内に挿入し、内筒の上端に抜き栓を設け、更に抜き栓の下面に内蓋を備え、内筒の下端に栓体を取り付け、該内筒の下端を栓体により閉鎖して第二の物質を内筒内に収納し、栓体は、容器本体の上方に延びる係止腕を備え、吸引具は有底円筒体で、底部がキャップ上部に組付け可能であり、かつ底部に貫通孔を備えて二剤混合容器を構成した。【選択図】図１
2006124009.tif 000002
【特許請求の範囲】
【請求項１】
容器内部に個別に収納した第一の物質と第二の物質とを該容器内部で混合する二剤混合容器において、
第一の物質を収納する容器本体と、容器本体の口部に螺合されたキャップと、キャップ外側に底部を上にして着脱自在に装着された吸引具とからなり、
キャップは外筒と内筒からなり、外筒を容器本体の口部外周に螺合させ、内筒を容器本体の口部内に挿入し、
内筒の上端に抜き栓と内蓋とを、抜き栓を内蓋の上にして設け、
内筒の下端に栓体を取り付け、該内筒の下端を栓体により閉鎖して第二の物質を内筒内に収納し、
栓体は、容器本体の上方に延びる係止腕を備え、
吸引具は有底円筒体で、底部をキャップ上部に組付け可能とし、かつ該底部に貫通孔を備え、
キャップを容器本体に対して抜き方向に螺進させると、容器本体の内側壁に係止腕が当接し内筒下端が栓体から引き抜かれ、第二の物質が容器本体内部に落下し、更に抜き栓を除去し内筒上端に吸引具の底部を組付けると、底部が内蓋を内筒内に落下させるように構成した二剤混合容器。
【請求項２】
容器内部に個別に収納した第一の物質と第二の物質とを該容器内部で混合する二剤混合容器において、
第一の物質を収納する容器本体と、容器本体の口部に螺合されたキャップと、キャップ外側に着脱自在に取り付けられた吸引具とからなり、
キャップは有頂円筒体の内筒と容器本体口部に螺合する外筒からなり、
該キャップの内筒を口部内に挿入し、
内筒下端に栓体を取り付け、該内筒の下端を栓体により閉鎖して第二の物質を内筒内に収納し、
栓体は容器本体の上方に延びる係止腕を備え、
吸引具は底部に内蓋を備え、
キャップを容器本体の口部から螺脱させると、係止腕が容器本体の内側面に当接した栓体から内筒下端が引き抜かれ、第二の物質が容器本体内部に落下し、更にキャップを外した容器本体の口部に吸引具を取り付けた後、内蓋を該吸引具の内部より押圧して取り外すこととした二剤混合容器。
【発明の詳細な説明】
【技術分野】
【０００１】
本発明は、予め異なる物質を容器内に収納し、使用時にそれら物質を混合して吸引用ガスや蒸散する薬剤などを容器内で生じさせる二剤混合容器に関する。
【背景技術】
【０００２】
毛染め剤を使用する場合や、吸引用酸素を発生させる場合などでは、予め異なる複数の薬剤、もしくは主剤と触媒等をそれぞれ個別に混合容器内に収納しておき、使用直前にそれら薬剤等を混合容器内で混合させて薬剤の機能を活性化させたり、ガスを発生させる方法が従来より知られている。
【０００３】
このような使い方をする混合容器としては、例えば毛染め剤の第一の薬剤を容器本体内に収納し、容器本体の上部に容器本体とシール材で遮断した小容器を設け、切断刃を下降させてシール材を破断させることで小容器に収納した毛染め剤の第二の薬剤を容器本体内に落下させてそれぞれの薬剤を容器内で混合させるようにした二液混合容器の例がある。
【０００４】
またカートリッジ内に過酸化水素水と触媒とを隔壁を介して封入し、カートリッジを本体に装着すると隔壁の一部が破損し、カートリッジ内の過酸化水素水と触媒とが接触して酸素が発生し、それを容器の外に放出するようにした携帯用酸素発生器の例がある。
【０００５】
【特許文献１】特開２０００−８５８２８号公報
【特許文献１】特開２００４−５１４０３号公報
【発明の開示】
【発明が解決しようとする課題】
【０００６】
上記二液混合容器は、切断刃でシール材を破断した後も口部からシール材が完全に除去されず、シール材の一部が口部の周囲に付着したままとなる。毛染め剤など内容物が液状の場合は比重が大きく口部に残ったシール材を動かしながら容器内を容易に流動するが、酸素など気体を容器内で発生させた場合は、口部に残ったシール材が通気抵抗となり円滑に気体が容器の外に放出されなくなることが考えられる。
【０００７】
また上記携帯用酸素発生器は、容器とは別にカートリッジを常に一緒に持っていなくてはならない。またカートリッジを取出し、容器に装填しなくてはならず手間がかかり、直ぐに酸素を必要としたときには好ましくない。
【０００８】
更に本体に組み付ける際、カートリッジに設けられた３枚のシール材を連続して破断しなければならず、高齢者や病人には開封時の負担が大きいことが考えられる。逆にシール材の強度を小さくすると、保管中など不要なところでシール材が破損することが起こる。
【０００９】
また切刃をカートリッジ内部に案内する部分がカートリッジの上部に少なく、本体を斜めにした状態でカートリッジに差し入れてシール材がうまく開封できなかったり、切刃がカートリッジの壁面に当接して破損したりすることが考えられる。
【００１０】
本発明は簡易な操作で一方の物質を他方の物質に投入し、しかも使用時まではそれぞれの物質を混在させることがなく個別に収納し、かつ容器内には気体の流通に支障となるものがなく、気体が発生したときは円滑に外部に放出される二剤混合容器を提供することを目的とする。
【課題を解決するための手段】
【００１１】
１、  容器内部に個別に収納した第一の物質と第二の物質とを該容器内部で混合する二剤混合容器において、
第一の物質を収納する容器本体と、容器本体の口部に螺合されたキャップと、キャップ外側に底部を上にして着脱自在に装着された吸引具とからなり、
キャップは外筒と内筒からなり、外筒を容器本体の口部外周に螺合させ、内筒を容器本体の口部内に挿入し、
内筒の上端に抜き栓と内蓋とを、抜き栓を内蓋の上にして設け、
内筒の下端に栓体を取り付け、該内筒の下端を栓体により閉鎖して第二の物質を内筒内に収納し、
栓体は、容器本体の上方に延びる係止腕を備え、
吸引具は有底円筒体で、底部をキャップ上部に組付け可能とし、かつ該底部に貫通孔を備え、
キャップを容器本体に対して抜き方向に螺進させると、容器本体の内側壁に係止腕が当接し内筒下端が栓体から引き抜かれ、第二の物質が容器本体内部に落下し、更に抜き栓を除去し内筒上端に吸引具の底部を組付けると、底部が内蓋を内筒内に落下させるようにして二剤混合容器を構成した。
【００１２】
２、  容器内部に個別に収納した第一の物質と第二の物質とを該容器内部で混合する二剤混合容器において、
第一の物質を収納する容器本体と、容器本体の口部に螺合されたキャップと、キャップ外側に着脱自在に取り付けられた吸引具とからなり、
キャップは有頂円筒体の内筒と容器本体口部に螺合する外筒からなり、
該キャップの内筒を口部内に挿入し、
内筒下端に栓体を取り付け、該内筒の下端を栓体により閉鎖して第二の物質を内筒内に収納し、
栓体は容器本体の上方に延びる係止腕を備え、
吸引具は底部に内蓋を備え、
キャップを容器本体の口部から螺脱させると、係止腕が容器本体の内側面に当接した栓体から内筒下端が引き抜かれ、第二の物質が容器本体内部に落下し、更にキャップを外した容器本体の口部に吸引具を取り付けた後、内蓋を該吸引具の内部より押圧して取り外すこととして二剤混合容器を構成した。
【００１３】
内筒はキャップを容器本体から完全に抜き取る以前に栓体から引き抜かれ、下端が開放され、かつ栓体は容器本体内に落下する。
【００１４】
内筒が栓体から抜けて第二の物質が容器本体内に落下すると、第一の物質と第二の物質が接触し、あるいは混合されて気体が発生したり、蒸散する薬剤が発生する。その気体や薬剤の蒸気が吸引具を通して吸引される。
【００１５】
１において内筒を栓体から外した後は、キャップを締めなおし容器本体にキャップを螺合させることが好ましい。
【００１６】
抜き栓は、リングプルなど確実に内筒の上端を閉鎖させ、周囲を切り取ることで内筒の上部を開放させる栓が好ましい。内蓋は、容器本体内の内容物を攪拌したときに内容物を外部に飛散させず、かつ吸引具の底部を組み付けるとそれにより容易に取り外される程度に取り付けてある。
【００１７】
２において、吸引具に取り付けられた内蓋は、吸引具の吸収口の側から指先などで押圧すると容易に吸引具から取り外される。
【発明の効果】
【００１８】
本発明の二剤混合容器は、次の効果を有する。
【００１９】
吸引具を容器本体から取り外し、キャップを回転させるとキャップの内筒が栓体から引き抜かれ開放される。したがって、誤操作の恐れがなく、何人も容易かつ確実に第二の物質を容器本体内に投入し、第一の物質と第二の物質とを容器本体内で混合することができる。
【００２０】
栓体がキャップの内筒から完全に取り外されるので、容器本体内に気体の流通を阻害するものがなく、吸引具から円滑にガスや薬剤が放出される。
【００２１】
１においては、抜き栓を設けたことにより内筒内に第二の物質を密閉できる。
【００２２】
抜き栓を外し吸引具をキャップに取り付けると内蓋が外され、吸引具と内筒内が連通する。したがって、吸引具を介して所定の気体や薬剤蒸気を吸引でき、しかも吸引具を取り付ける際に内蓋が取り外され内筒内が開放されるので、吸引直前まで内筒内を閉鎖しておくことができる。
【００２３】
２においては、栓体を設けたことにより内筒内に第二の物質を密閉できる。
【００２４】
吸引具に内蓋を設けたことにより、内容物を攪拌した場合でも混合容器の内部から内容物が飛散するのを防止できる。そして内蓋を吸引具の吸引口側から容易に取り外し、混合容器を開放させることができる。
【発明を実施するための最良の形態】
【００２５】
図２に二剤混合容器を示す。
【００２６】
二剤混合容器２は、容器本体４と、キャップ６と、吸引具８を備えている。
【００２７】
容器本体４は有底円筒状の容器で上部に口部５を有し、内部に第一の物質Ａが１００ｃｃ程度収納してある。尚第一の物質Ａの量は１００ｃｃに限るものではない。
【００２８】
キャップ６は内筒１０と外筒１２からなり、内筒１０と外筒１２は同心円状に配され、中央付近でリング状の連結部材１１で連結してある。
【００２９】
外筒１２は下部内面にねじ部１３が形成してあり、口部５にパッキン１７を挟んで螺合している。
【００３０】
内筒１０は、上端に抜き栓としてのリングプル１４を有し、リングプル１４の下部に内蓋１６が取り付けてある。リングプル１４は、内筒１２の上端を密閉し、引き環１５を引き上げるとリングプル１４の周囲が内筒１２から切断されて取り除かれる。内蓋１６はリングプル１４の直下に設けてあり、内筒１２を閉鎖するとともに上面から押圧すると容易に取り外されるように取り付けられている。
【００３１】
内筒１２の下端には栓体１８が取り付けてある。栓体１８は内筒１２の下端を密閉し、密閉された内筒１２の内部には第二の物質Ｂが２５ｃｃ程度収納してある。更に栓体１８の周囲には係止腕１９が口部５の段部７に向けて延びており、キャップ６が引き上げられると係止腕１９が口部５の段部７に当接する。
【００３２】
吸引具８は有底円筒体で、使用前は底部９を上にしてキャップ６の外周に被せてある。底部９は内筒１０の上部に組み付くように形成してあり、吸引具８の内外を貫通する開口部２０が設けてある。
【００３３】
次に二剤混合容器２の使用方法について説明する。
【００３４】
使用前の二剤混合容器２は、図２に示すように容器本体４に第一の物質Ａ、例えばぜんそく薬の一方の薬剤が収納してあり、第二の物質Ｂ、例えばぜんそく薬の他方の薬剤が内筒６の内部に収納してある。第一の物質Ａと第二の物質Ｂは、両者を混合すると気体、あるいは蒸気となってぜんそくの薬が液面から蒸散する。
【００３５】
二剤混合容器２を使用するには吸引具８をキャップ６から取り外し、キャップ６を回して、上方にキャップ６を螺進させる。すると係止腕１９が口部５の段部７にかかり、更にキャップ６を螺進させると図１２示すように内筒１０の下端が栓体１８から引き抜かれる。内筒１０が栓体１８から引き抜かれると第二の物質Ｂが落下し、容器本体４に収納された第一の物質Ａ内に投入される。必要に応じて二剤混合容器２を振り、第一の物質Ａと第二の物質Ｂとを容器本体４内で攪拌する。
【００３６】
次にリングプル１４を抜き取り、内筒１０の上部に吸引具８を底部９から図３に示すように組み付ける。吸引具８を底部９から組み付けると底部９により内筒１０の内蓋１６が押圧されて落下し、開口部２０を通して容器本体４の内部と吸引具８の吸引口内部が連通する。
【００３７】
これにより第一の物質Ａと第二の物質Ｂとを混合して発生した気体状の薬剤が開口部２０を介して吸引具８の内部に流入し、吸引具８に口をつけて吸引できる。
【００３８】
次に、二剤混合容器の他の例を図４、図５を用いて説明する。
【００３９】
二剤混合容器３は二剤混合容器２と概略が同じであり、異なる点について説明する。
【００４０】
キャップ２６は有頂円筒体で内筒１０が容器本体４内に挿入され、外筒１２が容器本体４の口部に螺合している。内筒１０の下端には栓体１８が密閉状態で取り付けてあり、キャップ２６が引き上げられると栓体１８の係止腕１９が容器本体４に当接し内筒１０が栓体１８から引き抜かれる。
【００４１】
吸引具２８は、仕切壁３２を間に挟んで組付口部２９と吸引口３１を有している。組付口部２９の内面にはねじ部３０が形成してあり、ねじ部３０は容器本体４の口部５に螺合する。仕切壁３２の組付口部２９側には内蓋３３が取り付けてあり、内蓋３３は、仕切壁３２に形成してある開口３４を閉鎖し、かつ吸引口３１側から押圧して容易に取り外せるように取り付けてある。
【００４２】
二剤混合容器３を使用するには、吸引具２８をキャップ２６から外し、キャップ２６を回転させて口部５から取り外す。すると内筒１０の下端が栓体１８から引き抜かれ、第二の物質Ｂが容器本体４内に落下する。
【００４３】
次に吸引具２８の組付口部２９を口部５に螺合させ、組み付ける。必要に応じて二剤混合容器３を振り、第一の物質Ａと第二の物質Ｂとを容器本体４内で攪拌する。吸引口３１に指先を挿入し内蓋３３を押圧して落下させる。すると吸引口３１と容器本体４の内部が連通するので、容器本体４内で発生した薬剤を吸引する。
【００４４】
したがって二剤混合容器３ではキャップ２６を回転させることにより、第二の物質Ｂを容器本体４内に落下させ第一の物質Ａと混合させることができる。しかも使用前は栓体１８が内筒１０に密着しており、第二の物質Ｂが内筒１０から漏れ出ることがない。吸引具２８に内蓋３３が設けられていることから、吸引具２８を取り付けた状態で容器本体４を振り、内容物を攪拌できる。内蓋３３を指先などで取り除き、容易に容器本体４内を開放できる。
【図面の簡単な説明】
【００４５】
【図１】本発明にかかる二剤混合容器の使用状態を示した断面図である。
【図２】二剤混合容器の一実施形態を示した正面図である。
【図３】二剤混合容器の一実施形態を示した斜視図である。
【図４】二剤混合容器の他の実施形態を示した部分断面図である。
【図５】二剤混合容器の他の実施形態を示した断面図である。
【符号の説明】
【００４６】
２    二剤混合容器
４    容器本体
５    口部
６、２６    キャップ
７    段部
８、２８    吸引具
９    底部
１０  内筒
１１  連結部材
１２  外筒
１３  ねじ部
１４  リングプル
１５  引き環
１６  内蓋
１７  パッキン
１８  栓体
１９  係止腕
２９  組付口部
３０  ねじ部
３１  吸引口
３２  仕切壁
３３  内蓋
３４  開口
Ａ    第一の物質
Ｂ    第二の物質
【図１】
2006124009.tif 000003
【図２】
2006124009.tif 000004
【図３】
2006124009.tif 000005
【図４】
2006124009.tif 000006
【図５】
2006124009.tif 000007